(57)【要約】【課題】購入した商品等に応じたデザインを有するプリント物を提供できる画像出力装置等を提供する。【解決手段】画像出力装置３は、書籍２０を購入した際のレシート１０と書籍２０から書籍情報を読取るとともに、レシート１０から購入状況情報を読取り、これらの情報によって栞画像がプリント可能であると判定された場合に、書籍情報に対応する栞画像をサーバ５から受信し、栞画像を栞としてプリントすることで、書籍２０に応じたデザインを有する栞を得ることができる。【選択図】図１
2019093595.tif 000002
【特許請求の範囲】
【請求項１】
商品を購入した際のレシートまたは前記商品から商品情報を読取る読取手段と、
前記商品情報に対応する画像データをサーバから受信する受信手段と、
前記画像データをプリントしたプリント物を出力するプリント手段と、
を有することを特徴とする画像出力装置。
【請求項２】
前記商品は書籍であることを特徴とする請求項１記載の画像出力装置。
【請求項３】
前記プリント物は栞であることを特徴とする請求項２記載の画像出力装置。
【請求項４】
前記読取手段は、前記レシートから購入状況情報を読取り、
前記購入状況情報を用いて前記プリント物をプリント可能か否かの判定を行う判定手段をさらに有することを特徴とする請求項１から請求項３のいずれかに記載の画像出力装置。
【請求項５】
前記読取手段は、前記レシートと前記商品のそれぞれから商品情報を読取り、
前記レシートと前記商品から読取った商品情報が一致しない場合、前記プリント物のプリントが不可となることを特徴とする請求項４記載の画像出力装置。
【請求項６】
貸与品の貸与を受けた際のレシートまたは前記貸与品から貸与品情報を読取る読取手段と、
前記貸与品情報に対応する画像データをサーバから受信する受信手段と、
前記画像データをプリントしたプリント物を出力するプリント手段と、
を有することを特徴とする画像出力装置。
【請求項７】
画像出力装置とサーバを有する画像出力システムであって、
前記画像出力装置は、
商品を購入した際のレシートまたは前記商品から商品情報を読取る読取手段と、
前記商品情報に対応する画像データを前記サーバから受信する受信手段と、
前記画像データをプリントしたプリント物を出力するプリント手段と、
を有し、
前記サーバは、
前記画像データを前記画像出力装置に送信する送信手段を有することを特徴とする画像出力システム。
【発明の詳細な説明】
【技術分野】
【０００１】
本発明は、画像出力装置および画像出力システムに関する。
【背景技術】
【０００２】
書店などで書籍を購入すると栞が配布されることがある。書籍を一度で読み切るということは少なく、栞紐の付いた書籍も限られているので、読み進めたページを記録できる栞は有用である。
【先行技術文献】
【特許文献】
【０００３】
【特許文献１】特開2015-100932号公報
【発明の概要】
【発明が解決しようとする課題】
【０００４】
このような栞は、書店や出版社ごとに決まったデザインであることが多い。そのため、栞のデザインは書籍の内容と関係が薄く、面白みが無く価値が低い。これは書籍に限らず一般的な商品等についても当てはまり得ることである。
【０００５】
本発明は上記の課題に鑑みてなされたものであり、購入した商品等に応じたデザインを有するプリント物を提供できる画像出力装置等を提供することを目的とする。
【課題を解決するための手段】
【０００６】
前述した課題を解決するための第１の発明は、商品を購入した際のレシートまたは前記商品から商品情報を読取る読取手段と、前記商品情報に対応する画像データをサーバから受信する受信手段と、前記画像データをプリントしたプリント物を出力するプリント手段と、を有することを特徴とする画像出力装置である。
【０００７】
これにより、本発明では書籍等の商品の購入時に商品に応じたデザインを有する栞等のプリント物がオンデマンドで提供されるので、面白みがあり価値の高い栞等のプリント物が得られ、また収集価値のあるプリント物の提供により商品の購入促進にもつながる。
【０００８】
前記商品は例えば書籍であり、前記プリント物は例えば栞である。
この場合、書籍の購入時に栞が得られ、プリント用紙の栞となることで耐久性も向上する。
【０００９】
前記読取手段は、前記レシートから購入状況情報を読取り、前記購入状況情報を用いて前記プリント物をプリント可能か否かの判定を行う判定手段をさらに有することが望ましい。
これにより、商品購入時のレシートを持つユーザにプリント物を提供することができる。
【００１０】
前記読取手段は、前記レシートと前記商品のそれぞれから商品情報を読取り、前記レシートと前記商品から読取った商品情報が一致しない場合、前記プリント物のプリントが不可となることが望ましい。
上記のようにレシートと商品から商品情報の読取を行い、これらの商品情報を照合することで、商品を購入し、商品購入時のレシートと商品の両方を持つユーザにプリント物の提供を限定することができる。
【００１１】
第２の発明は、貸与品の貸与を受けた際のレシートまたは前記貸与品から貸与品情報を読取る読取手段と、前記貸与品情報に対応する画像データをサーバから受信する受信手段と、前記画像データをプリントしたプリント物を出力するプリント手段と、を有することを特徴とする画像出力装置である。
本発明は、商品を購入した際だけでなく、貸与品の貸与を受けた場合にも同様に適用可能である。
【００１２】
第３の発明は、画像出力装置とサーバを有する画像出力システムであって、前記画像出力装置は、商品を購入した際のレシートまたは前記商品から商品情報を読取る読取手段と、前記商品情報に対応する画像データを前記サーバから受信する受信手段と、前記画像データをプリントしたプリント物を出力するプリント手段と、を有し、前記サーバは、前記画像データを前記画像出力装置に送信する送信手段を有することを特徴とする画像出力システムである。
【発明の効果】
【００１３】
本発明により、購入した商品等に応じたデザインを有するプリント物を提供できる画像出力装置等を提供することができる。
【図面の簡単な説明】
【００１４】
【図１】画像出力システム１を示す図。
【図２】画像出力装置３の外観を示す図。
【図３】画像出力装置３の構成を示す図。
【図４】制御装置３０のハードウェア構成を示す図。
【図５】レシート１０と書籍２０の一部を示す図。
【図６】サーバ５のハードウェア構成を示す図。
【図７】栞データ１００を示す図。
【図８】栞のプリント方法の概略について示すフローチャート。
【図９】表示画面３００の例。
【図１０】表示画面４００の例。
【図１１】判定処理の手順について示すフローチャート。
【発明を実施するための形態】
【００１５】
以下、図面に基づいて本発明の好適な実施形態について詳細に説明する。
【００１６】
（１．画像出力システム１）
図１は本発明の第１の実施形態に係る画像出力システム１を示す図である。図１に示すように、本実施形態の画像出力システム１は、画像出力装置３とサーバ５がネットワークを介して通信可能に接続された構成を有する。
【００１７】
画像出力装置３は、書店の店頭等に設置され、書籍２０（商品）の購入時のレシート１０や書籍２０が有する書籍情報（商品情報）を読取り、書籍２０に対応する画像データ（栞画像）をプリントし、プリント物として栞を出力するものである。栞は書籍２０に挟んで読み進めたページを記録するものであり、書籍２０と併せて使用される付属物である。
【００１８】
図２は画像出力装置３の外観を示す図であり、図３は画像出力装置３の構成を示す図である。画像出力装置３は、制御装置３０、表示部３１、課金部３２、プリンタ３３、メディア入出力部３４、読取部３５、プリント物取出口３６等を有する。
【００１９】
制御装置３０は画像出力装置３の内部に設けられ、画像出力装置３の処理全体を制御する。
【００２０】
図４は制御装置３０のハードウェア構成を示す図である。図４に示すように、制御装置３０は、例えば制御部３０１、記憶部３０２、入力部３０３、通信制御部３０４等をバス等により接続して構成したコンピュータにより実現できる。但しこれに限ることなく、適宜様々な構成をとることができる。
【００２１】
制御部３０１はCPU、ROM、RAMなどから構成される。CPUは、記憶部３０２、ROMなどの記憶媒体に格納された制御装置３０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部３０２、ROMなどからロードしたプログラムやデータを一時的に保持するとともに、制御部３０１が各種処理を行うために使用するワークエリアを備える。
【００２２】
記憶部３０２はハードディスクドライブやソリッドステートドライブ、フラッシュメモリ等であり、後述する処理に際し制御装置３０が実行するプログラム、プログラム実行に必要なデータ、OSなどが格納される。これらのプログラムやデータは、制御部３０１により必要に応じて読み出され実行される。
【００２３】
入力部３０３は制御装置３０に各種の設定入力を行うものである。
通信制御部３０４はネットワーク等を介した通信を媒介する通信インタフェースであり、サーバ５等との間で通信を行う。
【００２４】
図２、３の説明に戻る。表示部３１は、画像出力装置３の入力部を兼ねたタッチパネル付ディスプレイ等により実現される。表示部３１は、画像出力装置３の上部正面に配置され、ユーザの操作・選択に係る各種の画面を表示し、画面上のタッチ操作によるユーザの指示入力等を受付ける。
【００２５】
課金部３２は、硬貨や紙幣の投入口、つり銭返却口、レシート取出口、レシートプリンタ等（不図示）を備え、ユーザからの課金やレシートの発行を管理する。
【００２６】
プリンタ３３は画像データをプリントするものであり、画像出力装置３の内部に設けられる。画像データをプリントしたプリント物はプリント物取出口３６に排出される。プリンタ３３は例えば昇華転写型のプリンタであり、その設置台数等は特に問わない。また、プリンタ３３は画像出力装置３から分離して設置されてもよい。
【００２７】
メディア入出力部３４は、記録媒体に予め記憶されている画像を読み込む。記録媒体は、例えばDVD−ROM/DVD−RW/DVD−RAM/ブルーレイディスク/CD−ROM/CD−R/CD−RW、コンパクトフラッシュ（登録商標）、SD(Secure Digital)カード、ミニSDカード、マイクロSDカード、xD−ピクチャーカード、Smart Media（登録商標）、MEMORY STICK（登録商標）、USB(Universal Serial Bus)メモリ等であるが、これらに限ることはない。
【００２８】
読取部３５は、書籍２０の購入時のレシート１０や書籍２０が有する書籍情報、レシート１０が有する購入状況情報を、OCR(Optical Character Reader)やバーコードスキャナによって読取るものである。
【００２９】
図５（ａ）はレシート１０の一部を示す図であり、例えばレシート１０には書籍２０の販売日時１１やISBNコード１２、伝票番号１３などが印刷される。各情報はバーコードや二次元コードとして印刷される場合もある。また書店のＰＯＳ(Point of Sale)サーバ（不図示）ではこれらの情報が紐付けられてレコードとして保持される。
【００３０】
図５（ｂ）は書籍２０の一部を示す図であり、例えば書籍２０の裏表紙などにはISBNコード１２や当該ISBNコード１２を記録したバーコード１２ａ等が印刷される。バーコード１２ａの代わりに二次元コードが印刷されてもよい。
【００３１】
読取部３５で読取る書籍情報は、書籍２０を特定する情報または当該情報に紐付く情報であり、例えば上記のISBNコード１２などである。しかしながら、書籍情報がこれに限ることはなく、レシート１０等に書籍名などが表示される場合はこれを書籍情報として用いることもできる。
【００３２】
読取部３５で読取る購入状況情報は、書籍２０の購入状況に関するものであり、例えば上記の販売日時１１や伝票番号１３などである。しかしながら、購入状況情報がこれに限ることはなく、レシート１０に書籍購入時に使用したクレジットカード番号等が印刷される場合はこれを購入状況情報として用いることもできる。後述するＳ２４における判定の精度を上げるためには、購入状況情報としてレシート１０間でできるだけ重複しない情報を用いるか、複数の購入状況情報を読取ることが望ましい。
【００３３】
図１の説明に戻る。サーバ５は、栞のプリント時の判定処理や栞画像の管理を行うサーバである。
【００３４】
図６はサーバ５のハードウェア構成の例を示す図である。図６に示すように、サーバ５は、例えば制御部５１、記憶部５２、入力部５３、表示部５４、通信制御部５５等をバス等により接続して構成したコンピュータにより実現できる。但しこれに限ることなく、適宜様々な構成をとることができる。
【００３５】
制御部５１はCPU、ROM、RAMなどから構成される。CPUは、記憶部５２、ROMなどの記憶媒体に格納されたサーバ５の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部５２、ROMなどからロードしたプログラムやデータを一時的に保持するとともに、制御部５１が各種処理を行うために使用するワークエリアを備える。
【００３６】
記憶部５２はハードディスクドライブやソリッドステートドライブ、フラッシュメモリ等であり、制御部５１が実行するプログラム、プログラム実行に必要なデータ、OSなどが格納される。これらのプログラムやデータは、制御部５１により必要に応じて読み出され実行される。
【００３７】
入力部５３はサーバ５に各種の設定入力を行うものである。
表示部５４は例えば液晶ディスプレイ等である。
通信制御部５５はネットワーク等を介した通信を媒介する通信インタフェースであり、画像出力装置３や前記のＰＯＳサーバ等との間で通信を行う。
【００３８】
図７に示すように、サーバ５の記憶部５２には栞データ１００が記録されている。栞データ１００は、書籍情報１０１と栞画像１０２を紐付けて記録したものである。
【００３９】
書籍情報１０１は前記した通り、書籍２０を特定する情報または当該情報に紐付く情報であり、例えばISBNコード等である。
栞画像１０２は、当該書籍２０に対応して予め登録された栞の画像データである。
【００４０】
書籍情報１０１や栞画像１０２は、書籍２０の刊行などに合わせて登録、更新、削除などを行い、定期的にまたは適宜のタイミングで変更することができる。
【００４１】
（２．栞のプリント方法）
次に、図８等を参照して本実施形態に係る栞のプリント方法について説明する。図８は栞のプリント方法の概略について示すフローチャートであり、図の各ステップは画像出力装置３の制御装置３０が実行する処理である。
【００４２】
本実施形態では、ユーザが書店にて書籍２０を購入し、レシート１０を受け取った後、レシート１０に印刷されている購入状況情報および書籍情報と、書籍２０が有する書籍情報を画像出力装置３の読取部３５で読取らせる。画像出力装置３は、レシート１０および書籍２０の書籍情報、レシート１０の購入状況情報を読取部３５で読取る（Ｓ１；読取手段）と、これらの情報を用いて栞のプリントが可能か否かの判定処理を行う（Ｓ２；判定手段）。本実施形態ではＳ２において画像出力装置３がサーバ５に判定処理を行わせるが、その詳細については後述する。
【００４３】
栞のプリントが不可の場合（Ｓ３；ＮＯ）、画像出力装置３は、プリント不可の旨の表示を表示部３１で行い（Ｓ４）、処理を終了する。
【００４４】
一方、栞のプリントが可の場合（Ｓ３；ＹＥＳ）、画像出力装置３は、書籍２０に対応する栞画像１０２をサーバ５から受信し（Ｓ５；受信手段）、表示部３１に栞画像１０２を表示させ、ユーザの操作に応じて栞画像１０２をプリントし、プリント物として栞を出力する（Ｓ６；プリント手段）。
【００４５】
図９は栞画像１０２を表示する表示画面３００の一例であり、例えばこの表示画面３００では書籍２０の書籍情報１０１に対応する１又は複数（図の例では５つ）の栞画像１０２が栞画像表示領域３１０に表示される。例えば書籍２０が漫画など巻号を有するものの場合、栞画像１０２の一部は巻号に関わらず書籍タイトルに応じたものとし、他の一部は巻号に応じたものとできる。
【００４６】
ユーザは、例えばプリントする栞画像１０２の選択とそのプリント枚数の設定を画面上のタッチ操作により行い、注文ボタン３３０を選択する。設定したプリント枚数は表示画面３００の枚数表示領域３２０に表示される。画像出力装置３は、ユーザの課金に応じて上記選択された栞画像１０２を上記設定された枚数分プリントする。
【００４７】
また、ユーザは表示画面３００の編集ボタン３４０を選択することで、栞画像１０２の編集を行い自分好みにカスタマイズした栞を作成することも可能である。
【００４８】
図１０は栞画像１０２を編集する際の表示画面４００の例であり、例えばこの表示画面４００では、書籍２０の書籍情報１０１に対応する１又は複数（図の例では５つ）の栞画像１０２が栞画像表示領域４１０に表示される。
【００４９】
ユーザは、例えば栞画像表示領域４１０から選択した栞画像１０２を編集領域４２０に表示されたキャリー用紙５００のミシン目で区画された各領域５１０に貼り付ける操作を行ったり、栞画像１０２の拡大縮小、位置調整、色合いの調整等を調整領域４３０のタッチ操作等により行う。編集としてはその他テキストの付加等を行うこともできる。キャリー用紙５００はミシン目に沿って切離すことで、各領域５１０を栞として使用できる。編集完了ボタン４４０を選択すると先程の表示画面３００に戻り、栞画像表示領域３１０に編集後の栞画像が表示され、プリント枚数の設定やプリント注文などを前記と同様に行える。
【００５０】
なお、本実施形態では栞のプリントに際し課金を行っているが、無料で栞のプリントを行うことも可能である。また本実施形態では複数の栞をプリントできるようにしているが、１枚だけプリントできるようしてもよい。この場合は前記の枚数設定は省略される。
【００５１】
（３．プリント可能か否かの判定）
図１１は前記のＳ２における判定処理の手順について示すフローチャートである。図のＳ２１は画像出力装置３の制御装置３０が実行し、Ｓ２２〜Ｓ２８はサーバ５の制御部５１が実行する処理である。
【００５２】
本実施形態では、前記のＳ２において、画像出力装置３がレシート１０および書籍２０の書籍情報、レシート１０の購入状況情報をサーバ５に送信して判定依頼を行う（Ｓ２１）。
【００５３】
サーバ５は、レシート１０および書籍２０の書籍情報、レシート１０の購入状況情報を受信する（Ｓ２２）と、書籍２０に対応する栞画像１０２が登録されているかの判定（Ｓ２３）と、書籍２０が購入されたものであるかの判定（Ｓ２４）を行う。
【００５４】
Ｓ２３では、例えば栞データ１００を参照し、Ｓ２２で受信した書籍２０の書籍情報１０１に対応する栞画像１０２が登録済みかどうか判定する。書籍情報１０１に対応する栞画像１０２が登録されていないか、または書籍情報１０１自体が登録されていない場合、書籍２０に対応する栞画像１０２が登録されていないと判定される。
【００５５】
Ｓ２４では、例えば受信したレシート１０の書籍情報と書籍２０の書籍情報が一致し、且つレシート１０の購入状況情報を書店のＰＯＳサーバ等にレコードとして登録されている購入状況情報と照合して一致するものがあれば書籍２０が購入されたものとする。前記したように判定の精度を上げるためには複数の購入状況情報を用いることも考えられ、この場合はＳ１で画像出力装置３が読取った（Ｓ２２でサーバ５が受信した）複数の購入状況情報の組合せがＰＯＳサーバのレコード内に存在するかどうか照合する。
【００５６】
このようにレシート１０と書籍２０の両方を用いて判定を行っているのは、書籍２０を購入し、書籍購入時のレシート１０と書籍２０の両方を持つユーザに栞のプリントを限定し、書籍購入時のレシート１０のみを持つユーザ（例えばレシート１０を拾ったユーザ）や、書籍２０のみを持つユーザ（例えば購入者から書籍２０を借りたユーザ）が栞をプリントするのを防止するためである。
【００５７】
サーバ５は、書籍２０に対応する栞画像１０２が登録されていないか、または書籍２０が購入されたものでないと判定した場合（Ｓ２３；ＮＯまたはＳ２４；ＮＯ）、栞のプリントを不可とし（Ｓ２５）、プリント不可の旨を画像出力装置３に送信して（Ｓ２６）、前述したＳ４の処理に移行する。
【００５８】
一方、サーバ５は、書籍２０に対応する栞画像１０２が登録されており、且つ書籍２０が購入されたものであると判定した場合（Ｓ２３；ＹＥＳ且つＳ２４；ＹＥＳ）、栞のプリントを可とし（Ｓ２７）、書籍２０に対応する栞画像１０２を画像出力装置３に送信し（Ｓ２８；送信手段）、前述したＳ５の処理に移行する。
【００５９】
以上説明したように、本実施形態では書籍２０の購入時に書籍２０の内容に応じたデザインを有する栞がオンデマンドで提供されるので、面白みがあり価値の高い栞が得られ、また収集価値のある栞の提供により書籍２０の購入促進にもつながる。またプリント用紙の栞となることで、栞の耐久性も向上する。
【００６０】
また本実施形態では、レシート１０から購入状況情報を読取り、購入状況情報を用いて栞をプリント可能か否かの判定を行うので、書籍購入時のレシート１０を持つユーザに栞を提供することができる。
【００６１】
また本実施形態では、レシート１０と書籍２０のそれぞれから書籍情報を読取り、レシート１０と書籍２０から読取った書籍情報を照合することで、書籍購入時のレシート１０のみを持つユーザや、書籍２０のみを持つユーザが栞の提供を受けるのを確実に防止し、書籍２０を購入し、書籍購入時のレシート１０と書籍２０の両方を持つユーザに栞の提供を限定することができる。
【００６２】
しかしながら、本発明はこれに限らない。例えばレシート１０の書籍情報と購入特定情報のみを読取る場合や、レシート１０の購入特定情報と書籍２０の書籍情報のみを読取る場合も考えられ、この場合はＳ２４の判定でレシート１０の書籍情報と書籍２０の書籍情報を照合する処理が省略できる。また前者の場合はＳ２３の判定をレシート１０の書籍情報を用いて行う。これらの場合も、栞のプリントを少なくとも書籍購入時のレシート１０を持つユーザに限定できる点で有効である。
【００６３】
さらに、Ｓ２４の判定においてレシート１０の購入状況情報をＰＯＳサーバ等のレコードと照合する処理を省略し、レシート１０の書籍情報と書籍２０の書籍情報が一致したことをもって書籍２０が購入されたものであると判定することも可能である。この場合はレシート１０の書籍情報と書籍２０の書籍情報のみを読取ればよい。
【００６４】
また、サーバ５は、Ｓ２７においてプリント可と判定された場合にＳ２２で受信した購入状況情報を栞データ１００等と紐付けて記憶部５２に記録しておき、これを栞のプリントが可能か否かの判定に用いることもできる。すなわち、Ｓ２２で受信した購入状況情報を記憶部５２の購入状況情報と照合し、一致するものがある場合にプリント不可とし、一致するものが無い場合にプリント可とする。この場合、書籍２０を購入したユーザが一旦栞のプリントを行った後は、栞のプリントを行うことができなくなり、当該ユーザが重複して栞の提供を受けたり、レシート１０を拾った他のユーザが栞の提供を受けたりといったことを防止できる。
【００６５】
その他、前記の販売日時１１を用いることで、栞のプリントに販売日時１１からの制限時間を設けることも可能である。例えば販売日時１１をレシート１０から読取った画像出力装置３が当該販売日時１１と現在日時を比較し、現在日時が上記の制限時間を超えている場合に栞のプリントを不可とすることも可能である。
【００６６】
また本実施形態では書籍２０を購入したユーザが店頭の画像出力装置３でレシート１０や書籍２０を読取らせて栞をプリントするが、レジ等に設置した画像出力装置３で書籍２０の購入時にその場で栞をプリントしてもよい。この場合、店員がレシート１０あるいは書籍２０から書籍情報を読取らせてそのまま栞をプリントすることが可能になり、書籍２０が購入されたかどうかの判定（Ｓ２４）が不要になる。
【００６７】
また本実施形態では書籍２０を購入した際に栞をプリントする例について述べたが、本発明の適用対象はこれに限らない。例えば栞の代わりにブックカバー等の書籍２０の付属物をプリントしてもよく、それ以外にも本発明は商品を購入した際にその特典をプリント物として提供するケース全般に適用することが可能である。商品の例としてはCDやDVDなどがあり、プリント物の例としてはCDやDVDのスリーブカバーや解説書、付録などがある。
【００６８】
また本実施形態では書籍２０を購入したユーザが栞をプリントするが、図書館等で書籍２０（貸与品）の貸与を受けたユーザが栞をプリントできるようにしてもよい。
【００６９】
この場合、レシート１０は書籍２０の貸与時に配布されたものとし、前記の販売日時１１の代わりに貸与日時等が印刷され、この貸与日時や伝票番号１３などを貸与状況に関する貸与状況情報として、前記の購入状況情報の代わりに書籍情報（貸与品情報）とともに用いることができる。これにより、図８、１１と同様の処理を（「購入」を「貸与」と読み替えて）行うことができる。Ｓ２４では、例えばレシート１０の書籍情報と書籍２０の書籍情報が一致し、且つレシート１０の貸与状況情報を図書館の管理サーバ（不図示）に登録されている貸与状況情報と照合して一致するものがあれば書籍２０が貸与されたものとする。
【００７０】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７１】
１：画像出力システム
３：画像出力装置
５：サーバ
１０：レシート
２０：書籍
１００：栞データ
１０１：書籍情報
１０２：栞画像
【図１】
2019093595.tif 000003
【図２】
2019093595.tif 000004
【図３】
2019093595.tif 000005
【図４】
2019093595.tif 000006
【図５】
2019093595.tif 000007
【図６】
2019093595.tif 000008
【図７】
2019093595.tif 000009
【図８】
2019093595.tif 000010
【図９】
2019093595.tif 000011
【図１０】
2019093595.tif 000012
【図１１】
2019093595.tif 000013